(57)【要約】【課題】橋脚または橋台の補強に多大な費用を必要としない分散押出し架設において、押出し装置の構造を簡潔にすること。【解決手段】橋台２または橋脚４等の複数の下部構造物上に、それぞれ滑り支承装置５を取り付けると共に、各下部構造物の側面に橋桁移動時の反力を受ける反力台８を設け、各滑り支承装置５上の滑り面６を介して支持されている橋桁１に、それぞれ反力台８の後方においてブラケット１４を設けてＰＣ鋼材１３の後端部側を係合させ、ＰＣ鋼材１３の前端側をそれぞれ反力台８に支承されたセンターホールジャッキ１２に係合させ、センターホールジャッキ１２を伸長させることで、橋桁１を前方に押出すことを特徴とする。【選択図】図１
2006348647.tif 000002
【特許請求の範囲】
【請求項１】
橋台または橋脚等の複数の下部構造物上に、それぞれ滑り支承装置を取り付けると共に、各下部構造物の側面に橋桁移動時の反力を受ける反力台を設け、各滑り支承装置上の滑り面を介して支持されている橋桁に、それぞれ反力台の後方においてブラケットを設けて各ＰＣ鋼材の後端部側を係合させ、前記各ＰＣ鋼材の前端側をそれぞれ反力台に支承されたジャッキに係合させ、前記各ジャッキを伸長させることで、橋桁を前方に押出すことを特徴とする橋桁の押出し工法。
【請求項２】
前記ジャッキがセンターホールジャッキであることを特徴とする請求項１記載の橋桁の押出し工法。
【請求項３】
橋桁を前方に押出した後、ジャッキを短縮すると共に、ブラケットの橋桁およびＰＣ鋼材との係合を解き、該ブラケットを盛り替えて再び橋桁およびＰＣ鋼材に係合した後、前記ジャッキを伸長することを特徴とする請求項１または２記載の橋桁の押出し工法。
【請求項４】
橋桁と滑り支承装置の滑り面との間に第１のスライドプレートを介在させ、第１のスライドプレートが橋桁と共に滑り面を所定距離前方に移動したとき、第１のスライドプレートの後部から第２のスライドプレートを差し込むことを特徴とする請求項１〜３の何れか１項に記載の橋桁の押出し工法。
【発明の詳細な説明】
【技術分野】
【０００１】
本発明は、橋桁の押出し工法に関する。
【背景技術】
【０００２】
プレストレストコンクリート橋（ＰＣ橋）における橋桁の押出し工法とは、橋台または第１橋脚後方に設置した橋桁製作台上で、８〜２０ｍ前後の橋桁を製作し、コンクリートを打継ぎながら順次、橋桁を前方に押出す架設工法であり、一般に、支間長３０〜５０ｍの等断面の連続桁に用いられることが多い。橋桁の押出し工法は、橋桁を押出す方式の相異により、（１）集中式押出し架設と（２）分散式押出し架設とがある。
【０００３】
（１）集中式押出し架設は、反力台となるべき橋台または橋脚にセンターホールジャッキを、また、各橋台または橋脚の上部に滑り支承装置を設置して橋桁を押出す方式である。この集中式押出し架設は、橋桁を押出す際の水平力が反力台となる橋台または橋脚一ヶ所に集中することから反力集中方式とも呼ばれる。
【０００４】
（２）分散式押出し架設は、橋桁を押出す際の水平力が各橋台、橋脚に分散される方式であり、反力分散方式とも呼ばれる。分散式押出し架設は、鉛直ジャッキ、水平ジャッキ、スライドプレートとその支持台であるスライド架台およびそれらを作動させる油圧ポンプと連動装置から構成されている。押出し架設手順は次の順で行われる。［１］鉛直ジャッキで橋桁を上昇させ、スライドプレートから鉛直ジャッキ上に反力を移行する。［２］水平ジャッキにて、スライドプレートを後方に移動させる。［３］鉛直ジャッキの油圧を下げて、橋桁をスライドプレート上に下降させる。［４］水平ジャッキを作動させ、橋桁をスライドプレートと共に押出す。［５］［１］〜［４］の作業を繰り返すことで橋桁を前方に押出す。
【０００５】
（１）の集中式押出し架設は、橋桁を前方に押出す反力を橋台または橋脚等の下部構造物の一ヶ所に集中する方式であり、橋台または橋脚等の下部構造物は、大きな水平反力を受けるためその補強が必要になる。また、（２）の分散式押出し架設は、橋台および橋脚に水平力を分散させるため、多大な補強は必要としないが、各橋台および橋脚毎に、鉛直ジャッキおよび水平ジャッキとこれらを相互にコントロールする制御部からなる押出し装置を設ける必要がある。このため押出し装置のコストがかかる。なお、分散式押出し架設の従来例としては、特許文献１がある。
【特許文献１】特開平６−２１２６０７号公報
【発明の開示】
【発明が解決しようとする課題】
【０００６】
前記（１）の集中式押出し架設は、橋脚または橋台の補強に多大な費用が掛かるという問題があった。また、前記（２）の分散式押出し架設は、各橋脚または橋台に水平反力を分散させるため、多大な補強は必要としないが、各橋台または橋脚に押出し装置を設ける必要があるため、押出し装置にコストがかかる問題があった。
【０００７】
本発明の橋桁の押出し工法は、橋脚または橋台の補強に多大な費用がかからない利点のある前記（２）の分散式押出し架設に属する。しかし、既述のとおり従来の分散式押出し架設は、〔０００４〕の［１］〜［４］の作業を繰り返す都合で、1つの押出し装置に、鉛直ジャッキと水平ジャッキの最低２台のジャッキと、これを相互にコントロールする制御部が必要となり、この２台のジャッキを各橋台と橋脚毎に設置するためコストアップに繋がるという問題があった。そのため、従来の分散押出し架設では、より経済的な押出し装置が望まれていた。そこで、本発明は、橋脚または橋台の補強に多大な費用を必要としない分散押出し架設において、各橋脚と橋台に設ける押出し装置を、１台のジャッキで構成することでコストダウンを可能にした橋桁の押出し工法を提供することを目的とする。
【課題を解決するための手段】
【０００８】
本発明は、前記の課題を解決するため次のように構成した。
【０００９】
第１の発明は、橋台または橋脚等の複数の下部構造物上に、それぞれ滑り支承装置を取り付けると共に、各下部構造物の側面に橋桁移動時の反力を受ける反力台を設け、各滑り支承装置上の滑り面を介して支持されている橋桁に、それぞれ反力台の後方においてブラケットを設けて各ＰＣ鋼材の後端部側を係合させ、前記各ＰＣ鋼材の前端側をそれぞれ反力台に支承されたジャッキに係合させ、前記各ジャッキを伸長させることで、橋桁を前方に押出すことを特徴とする。
【００１０】
第２の発明は、第１の発明において、前記ジャッキがセンターホールジャッキであることを特徴とする。
【００１１】
第３の発明は、第１または第２の発明において、橋桁を前方に押出した後、ジャッキを短縮すると共に、ブラケットの橋桁およびＰＣ鋼材との係合を解き、該ブラケットを盛り替えて再び橋桁およびＰＣ鋼材に係合した後、前記ジャッキを伸長することを特徴とする。
【００１２】
第４の発明は、第１〜第３の発明において、橋桁と滑り支承装置の滑り面との間に第１のスライドプレートを介在させ、第１のスライドプレートが橋桁と共に滑り面を所定距離前方に移動したとき、第１のスライドプレートの後部から第２のスライドプレートを差し込むことを特徴とする。
【発明の効果】
【００１３】
本発明によると、橋台または橋脚等の複数の下部構造物に設ける押出し装置を１台のジャッキで構成すると共に、下部構造物上に設けた滑り支承装置により橋桁を支持して円滑に前方に押出せるよう構成し、さらに、ジャッキに固定したＰＣ鋼材と、橋桁に設けたブラケットを連結することで、ジャッキの伸長動作にて橋桁を円滑に前方に押出すことができるように構成したので次の効果がある。押出し装置を各橋台と橋脚に設けた、分散架設方式であるので、橋桁の押出し時の反力を分散させることができ、橋台または橋脚の補強が不要である。さらに、本発明では、各橋台と橋脚に設ける押出し装置を１台のジャッキで構成するから、鉛直ジャッキと水平ジャッキの２台のジャッキが必要な従来方式に比べて、押出し装置を簡略化でき、そのコストが安価ですむ。また、ジャッキは汎用のセンターホールジャッキを使うことができるのでこの点でも押出し装置が一層安価ですむ。
【発明を実施するための最良の形態】
【００１４】
以下、本発明の実施形態を図を参照して説明する。
【００１５】
図１〜図６は、本発明の押出し装置により、順次橋桁（橋体）を前方に押出す工程を側面概略図で示している。図７（ａ）は押出し装置の平面概略図、（ｂ）は桁下部とブラケット付近を拡大して示す縦断側面図である。
【００１６】
以下順に説明する。橋桁１は、橋台２の後方（図１において左側）に設置した主桁製作台上でコンクリートを打ち継ながら製作され、所定の長さ、例えば６ｍ〜２０ｍ製作される毎に、押出し装置３により前方に押出される。
【００１７】
押出し装置３は、次のように構成されている。図１〜図６および図７に示すように、橋台２および橋脚４の上部にそれぞれ滑り支承装置５が設置されている。滑り支承装置５の上面には、ステンレス板などの摩擦係数の小さい材料で滑り面６（図８参照）が形成されている。滑り面６の上面には、テフロン（登録商標）（四フッ化エチレン）板などの摩擦係数の小さい材料でスライドプレート７がスライド自在に載置され、このスライドプレート７の上に橋桁１の桁下部９が支持されている。スライドプレート７は少なくとも２枚具備されている。そして、スライドプレート７は、図８に示すように、橋桁１の前進移動に伴って滑り面６を橋桁１と一体に移動し、１枚目のスライドプレート７が滑り面６上を半分程度前進したとき、その後部に２枚目のスライドプレート７ａを差し込みながら橋桁１を前進移動させるように設けられる。前記のスライドプレート７と７ａとは、橋台２および橋脚４上において、交互に差し込まれて循環使用される。
【００１８】
橋台２および橋脚４のそれぞれの橋軸方向の前側面と後側面には、橋桁１の前進移動時の反力を受ける反力台８が設けられる。反力台８はＨ鋼で構成され、この反力台８を図１等に示すように側面から見て橋台２および橋脚４のそれぞれの前側面と後側面に２本縦にセットする。さらに、図７（ａ）に示すように反力台８は、各橋台２および橋脚４の平面から見て両側に２本ずつ平行に設置されていて、かつ、両側の反力台８は、横方向の反力台８ａで連結されている。そして、橋台２および橋脚４の側方に配置したＰＣ鋼棒１０を、それぞれの前側面と後側面の各反力台８に挿通し、ＰＣ鋼棒１０の先端のネジ部に定着ナット１１を締結することで各反力台８を橋台２および橋脚４のそれぞれの前側面と後側面に固定する。なお、橋台２または橋脚４の周囲をＨ形鋼などで取囲むようにして反力台を設けてもよい。
【００１９】
また、橋台２および橋脚４のそれぞれの前側面の反力台８の上部にセンターホールジャッキ１２などの汎用ジャッキが設けられている。センターホールジャッキ１２は、図７に示すように、平面的にみて、１つの橋台２および橋脚４の両側に２台平行に設置されている。橋台２と橋脚４にそれぞれ設けられたセンターホールジャッキ１２は、図示しない制御部により連動されていて、同期して伸縮作動するように設けられている。センターホールジャッキ１２のピストン杆には、橋桁１を前方に牽引するためのＰＣ鋼材１３の先端部が定着装置１８ａより固着されている。
【００２０】
橋桁１の前進方向からみて反力台８の後方で、かつ、橋桁１の桁下部９にはＰＣ鋼材１３と橋桁１を繋ぐための鋼製等のブラケット１４が設けられている。ブラケット１４の桁下部９への着脱可能な固着手段として、該ブラケット１４に挿通された縦向きのＰＣ鋼棒１５を橋桁１の桁下部９に設けた貫通孔に通し、ＰＣ鋼棒１５の両端部のネジ部にナット１６を締結する。これによりブラケット１４が、桁下部９に着脱自在に固定される。桁下部９に設けられる前記の貫通孔は、橋桁１の前後方向に所定の間隔をおいて複数設けられており、橋桁１を前進移動する際に、ブラケット１４は、橋桁１の前後方向に盛り変えにより位置を変えて取り付けられる。
【００２１】
ブラケット１４には橋軸方向に貫通する孔１７が設けられていて、この孔１７にＰＣ鋼材１３を通し、定着装置１８にて着脱自在に係合される。このブラケット１４のＰＣ鋼材１３に対する取り付け位置は、橋桁１の前進移動時に前後方向に盛り変えにより位置を変えて取り付けられる。
【００２２】
本発明の押出し装置を使用して、橋桁１の押出しを行うには、図１から図６の工程で行われる。なお、橋台２および橋脚４のそれぞれのセンターホールジャッキ１２は連動しており、同期して伸縮動作するので、以下では各ジャッキの動作が共通であるとして説明する。
【００２３】
図１は、第１の押出し工程を示し、橋台２と第１の橋脚４（図の左側）の間に橋桁１が架設された態様を示す。この第１工程では、各センターホールジャッキ１２が短縮している。また、ＰＣ鋼材１３も後退していて、この後退位置でブラケット１４を介してＰＣ鋼材１３と橋桁１とが繋がっている。
【００２４】
次に、図２の第２の押出し工程において、各センターホールジャッキ１２を伸長させる。これによりＰＣ鋼材１３が前進し、ブラケット１４を介して橋桁１はＰＣ鋼材１３に牽引されて前方に移動する。このとき、図８に示すように、滑り支承装置５の滑り面６と桁下部９との間にスライドプレート７を介在しておくことで、スライドプレート７が橋桁１と一体に滑り面６上を安定に移動し、これにより該橋桁１は安定して前進移動できる。また、１枚目のスライドプレート７が滑り面６を半分程度前進したとき、その後部に２枚目のスライドプレート７ａを差し込み、それを繰り返しながら橋桁１を前進移動させる。それにより、限られた広さの滑り面６上で橋桁１を連続的に円滑に前進移動させることができる。
【００２５】
図３は、第３の押出し工程を示す。この第３の押出し工程では、センターホールジャッキ１２を再度短縮させた態様を示す。
【００２６】
図４は、第４の押出し工程を示す。この第４の押出し工程では、ブラケット１４を橋桁１およびＰＣ鋼材１３から一旦取り外したうえ、このブラケット１４を橋桁１の後部に盛り替えて取り付け、かつ、後退移動しているＰＣ鋼材１３の後端部に取り付け位置を変える。
【００２７】
図５は第５の押出し工程を示す。ところで、図１〜図４の工程が実施されている一方で、橋台２の後方（各図の左側）に設置した主桁製作台上では、プレキャスト製セグメントを順次組立てるか、コンクリートを打ち継ぎながら後続する橋桁が製作されている。これにより伸長した橋桁１は、図５の第５の押出し工程に示すように、センターホールジャッキ１２を伸長することで第２の橋脚４（図の右側）に向けて押出される。なお、第２の橋脚４には、予め反力台８およびこれに付属するセンターホールジャッキ１２、PC鋼材１３、ならびに適宜ブラケット１４等を付属させておく。
【００２８】
図６は、第６の工程を示す。この第６の工程では、橋桁１が第２の橋脚４まで伸びて押し出し架設されており、第５の工程で伸長したセンターホールジャッキ１２を再度短縮させた態様が示されている。その後、ブラケット１４を実線から点線の位置に盛り変えて橋桁１に取り付ける。その後は、第１〜第６の工程を繰り返すことで、所定の径間に構築された複数の橋脚４に渡り橋桁１を架設できる。
【００２９】
以上のように、本発明によると、分散架設方式において、各橋台２と橋脚４に設ける押出し装置３を１台のセンターホールジャッキ１２で構成すると共に、橋台２と橋脚４上に設けた滑り支承装置５により橋桁１をスライド自在に支持しているので該橋桁１の押出しが円滑である。さらに、センターホールジャッキ１２に固定したＰＣ鋼材１３と、橋桁１に盛り変え自在に設けたブラケット１４とを連結することで、センターホールジャッキ１２の伸長動作にて、ＰＣ鋼材１３の牽引作用により橋桁１を円滑に前方に押出すことができ、そのための構成が簡潔である。なお、本発明は、実施形態を適宜設計変更して実施してもよい。
【図面の簡単な説明】
【００３０】
【図１】本発明の押出し装置により橋桁を押出す第１工程を示す側面概略図である。
【図２】本発明の押出し装置により橋桁を押出す第２工程を示す側面概略図である。
【図３】本発明の押出し装置により橋桁を押出す第３工程を示す側面概略図である。
【図４】本発明の押出し装置により橋桁を押出す第４工程を示す側面概略図である。
【図５】本発明の押出し装置により橋桁を押出す第５工程を示す側面概略図である。
【図６】本発明の押出し装置により橋桁を押出す第６工程を示す側面概略図である。
【図７】（ａ）は本発明の押出し装置の平面概略図、（ｂ）は桁下部とブラケット付近を拡大して示す縦断側面図である。
【図８】橋桁と滑り支承装置の間に挿入するスライドプレートの挿入状態を示す詳細図である。
【符号の説明】
【００３１】
１  橋桁
２  橋台
３  押出し装置
４  橋脚
５  滑り支承装置
６  滑り面
７  スライドプレート
７ａ  スライドプレート
８  反力台
９  桁下部
１０  ＰＣ鋼棒
１１  定着ナット
１２  センターホールジャッキ
１３  ＰＣ鋼材
１４  ブラケット
１５  ＰＣ鋼棒
１６  ナット
１７  孔
１８  定着装置
【図１】
2006348647.tif 000003
【図２】
2006348647.tif 000004
【図３】
2006348647.tif 000005
【図４】
2006348647.tif 000006
【図５】
2006348647.tif 000007
【図６】
2006348647.tif 000008
【図７】
2006348647.tif 000009
【図８】
2006348647.tif 000010